(57)【要約】【課題】光にて誘引する捕虫器にあって、照射面積の拡大により捕獲する虫の数量の増大を図るものである。【解決手段】機台、背壁、両前面壁、上部押えにより全体として縦長の捕虫器を構成する。そして、両側方に側面縦方向開口を、前面に前面縦方向開口を形成する。前記前面縦方向開口には誘虫ランプを見えなくする樹脂板を配すると共に、前面壁と背壁の内側に捕虫紙を取付ける。【選択図】　　　　　　図１
2004105058.tif 000002
【特許請求の範囲】
【請求項１】
全体を縦長とし、機台と、背壁と両前面壁と上部押えとにより内部空間を形成すると共に、
両前面壁間に前面縦方向開口と、両前面壁と背壁との間に両側面縦方向開口を持ち、前記内部空間内に誘虫ランプと前記前面縦方向開口から誘虫ランプを見えなくする板を縦方向に配し、
前記両前面壁及び背壁の内側に捕虫紙を配したことを特徴とする捕虫器。
【請求項２】
前記上部押えに上面開口を形成したことを特徴とする請求項１記載の捕虫器。
【請求項３】
前記前面壁が回転自在に取付られたことを特徴とする請求項１記載の捕虫器。
【請求項４】
前記背壁の外側に室内の壁面に取付られる取付手段を有したことを特徴とする請求項１記載の捕虫器。
【発明の詳細な説明】
【０００１】
【発明の属する技術分野】
この発明は、蠅などの飛翔昆虫を捕獲する捕虫器に関する。
【０００２】
【従来の技術】
蠅などの飛翔昆虫は、衛生上好ましくなく、退治する方法として殺虫剤の散布の他、昆虫を捕獲する捕虫器が用いられている。そして、従来の捕虫器には、壁かけ式で、外側にカバーがあり、このカバーの上面が開口し、内部に収納された光源が捕虫器の上部付近の壁面に集中させる構成で、光により誘引され集まった蠅等が内部に収納の捕虫紙にて捕獲されるようになっているものがあった（例えば、特許文献１参照。）。
【０００３】
【特許文献１】
特開平９−９８７０２号公報
【０００４】
【発明が解決しようとする課題】
しかしながら、前記従来例では、上部付近の壁面のみの照射であるため、おのずと照射面積が限られてしまっている。そこで、側面の壁面の照射や、正面を明るくすることになれば、照射範囲が拡大し、より多くの蠅などを捕獲できるものであるが、この従来例にそのような構造もなく、付加することも出来ない。
【０００５】
そこで、この発明は、蠅などの害虫を捕獲する数量を多くするために、照射面積の拡大を図った捕虫器に関する。
【０００６】
【課題を解決するための手段】
この発明に係る捕虫器は、全体を縦長とし、機台と、背壁と両前面壁と上部押えとにより内部空間を形成すると共に、両前面壁間に前面縦方向開口と、両前面壁と背壁との間に両側面縦方向開口を持ち、前記内部空間内に誘虫ランプを見えなくする板を縦方向に配し、前記両前面壁及び背壁の内側に捕虫紙を配したことにある（請求項１）。
【０００７】
したがって、この捕虫器では、両側面縦方向開口及び正面縦方向開口から光を照射される。両側面縦方向開口からの光は両側の壁面を直射にて明るく照らし、照射面積が拡大され、また正面からも見えやすくなっている。そして光が照射される両側面縦方向開口、正面縦方向開口によって蠅などの飛翔昆虫が飛び込む開口方向（前面、側面に開口が形成）の拡大にもなり、捕虫効果も向上するものである。
【０００８】
また、上部押えに上面開口を持つことにある（請求項２）。これにより上方壁面を明るく照らし、照射面積の増大からさらに捕虫効果を向上させることができる。
【０００９】
前記前面壁が回転自在に取付られたことにある（請求項３）。これにより、前面壁の裏面に取付られた捕虫紙の交換や誘虫ランプの交換も容易となるものである。
【００１０】
前記背壁の外側に室内の壁面に取付られる取付手段を有している（請求項４）
。これにより、捕虫器を室内の壁面に簡単に取付けることが出来る。
【００１１】
【発明の実施の形態】
図１乃至図６において、この発明に係る捕虫器１が示されている。この捕虫器１は、機台２上に立設の両前面壁３ａ，３ｂと背壁４と上部押え５とよりほぼ縦長の容器形態となっており、これらにより囲まれる内部空間７には誘虫ランプ８等が縦方向に収納されて構成されている。
【００１２】
前記機台２内には、図示しないが前記誘虫ランプ８用の点灯用電子回路が収納され、この上面９は凹部となっており、前記前面壁３ａ，３ｂと背壁４が立設され、特に背壁４は機台２に固設され、その上端では、前記上部押え５を固装している。
【００１３】
前記前面壁３ａ，３ｂは、上下端に設けられた回転軸１０ａ，１０ｂを介して前記機台２と上部押え５との間に取付られ、正面では、両者間に縦方向に前面縦方向開口１１が形成され、また、側面では、前記背壁４との間にそれぞれ側面縦方向開口１２ａ，１２ｂが形成されている。
【００１４】
また、前面壁３ａ，３ｂは、前記した回転軸１０ａ，１０ｂにて図７に示すように回動される。この前面壁３ａ，３ｂの内側には、断面Ｌ型の取付部１４が設けられ、捕虫紙１５が上方から下方に向かってスライドさせて取付られている。
なお、捕虫紙１５の交換は、上方へ引き出すことで行われる。
【００１５】
背壁４は、内部に前記誘虫ランプ８用の電線が収納されると共に、内側には断面Ｌ型の取付部１４が設けられ、捕虫紙１５が側方から横方向に向かってスライドさせて取付られている。この背壁４の外側には、室内の壁面に取付るための穴などの取付手段１７が形成されている。
【００１６】
前記上部押え５は、その上面に上面開口１９が形成された所望の形状で、前記したごとく、背壁４の上端に固着され、前記した前面壁３ａ，３ｂを支えると共に、前記した誘虫ランプ８に下記するソケット２６を押えるに適した中央押え部２１が形成されている。この中央押え部２１には、下記する不透明の板２８をも支える取付手段２４をも取付けている。
【００１７】
前記誘虫ランプ８は、縦方向に２本並設され、前記機台２の上面９と前記上部押え５の中央押え部２１に設けられたソケット２５，２６間に取付られている。この誘虫ランプ８は、前記両前面壁３ａ，３ｂ間の隙間である前面縦方向開口１１から見えるのを防ぐため、その前面に板２８が設けられている。
【００１８】
この板２８は、例えば不透明の樹脂製で、前記した取付手段２４及び前記機台２の上面９に設けられた取付手段２７にて、前記誘虫ランプ８の前面に取付られている。この樹脂の板２８は誘虫ランプ８が点灯することで、多少明度は低下するが虫を誘引するに充分な明るさで輝かされる。
【００１９】
上述の構成において、捕虫器１が所望の室内の壁面に設置され、誘虫ランプ８が点灯すると、該誘虫ランプ８の光は、側面縦方向開口１２ａ，１２ｂより両側の壁面の近傍を直接照らすことになる。即ち、誘虫ランプは、図４の横断面から見て理解できるように、前記前面壁３ａ，３ｂにて遮られ、前面方向には出ず、捕虫器１の両側の室内の壁面方向のみとなる。
【００２０】
このように、両壁面への照射は、従来例の一方のみのものに比して、２倍ほどの照射面積の拡大となり、蠅などの害虫の誘引性の向上のみならず、開口部の数と方向及び光の分散が多方面となり、捕虫率を向上させている。
【００２１】
【発明の効果】
以上のように、この発明によれば、両側に側面縦方向開口を形成したこと及び前面に前面縦方向開口を形成したことから、照射面積の拡大となり、虫の誘引性を向上させる効果がある。それから、側面縦方向開口及び前面縦方向開口から、虫が飛び込む開口方向の増大できて捕虫数量の向上に寄与できるものである（請求項１）。
【００２２】
また、上部押えに上面開口を形成させたことで（請求項２）、上部壁面を明るく照らして照射面積の拡大が図られるものである。さらに、前面壁が回転自在に取付られたことで（請求項３）、裏面に取付られた捕虫紙の交換や誘虫ランプの交換が容易となるものである。
【図面の簡単な説明】
【図１】この発明の捕虫器の斜視図である。
【図２】同上の正面図である。
【図３】同上の背面図である。
【図４】同上の横断面図である。
【図５】同上の縦断面図である。
【図６】同上の切断方向を異による縦断面図である。
【図７】同上の一方の前面壁を開けた状態の斜視図である。
【符号の説明】
１　捕虫器
２　機台
３ａ，３ｂ　前面壁
４　背壁
５　上部押え
８　誘虫ランプ
１０ａ，１０ｂ　回転軸
１１　前面縦方向開口
１２ａ，１２ｂ　側面縦方向開口
１５　捕虫紙
１９　上面開口
２８　板
【図１】
2004105058.tif 000003
【図２】
2004105058.tif 000004
【図３】
2004105058.tif 000005
【図４】
2004105058.tif 000006
【図５】
2004105058.tif 000007
【図６】
2004105058.tif 000008
【図７】
2004105058.tif 000009